(57)【特許請求の範囲】
【請求項１】
衣類を吊持するためのハンガーであって、
左側に延びる左肩部と右側に延びる右肩部とを備えたハンガー本体と、
このハンガー本体の中央に装着されたフックと、
前記左肩部の長手方向に摺動可能な左側摺動部材と、
前記右肩部の長手方向に摺動可能な右側摺動部材と備え、
前記左側摺動部材を前記左肩部の長手方向を横断する方向に回動自在に構成し、
前記右側摺動部材を前記右肩部の長手方向を横断する方向に回動自在に構成し、
前記左肩部の長手方向を横断する断面形状が略四角形であり、
前記左肩部の４面は、天井面、前側側面、後側側面、底面であり、
略扁平な左側摺動部材の裏面に取り付けられ、前記左側摺動部材の長手方向を横断す
るように設けられた左側ブリッジの前記左肩部に面する側に二つの突起が有り、この二つ
の突起の間に前記左肩部が位置して前記左側摺動部材の回動を阻止した左の第１の状態は
、前記左肩部の天井面の上に位置する前記左側摺動部材が平面視、幅広状態にあり、   
前記左の第１の状態から前記左側摺動部材を９０°回動させて、前記二つの突起の間
に前記左肩部が位置して前記左側摺動部材の回動を阻止した左の第２の状態は、前記左肩
部の天井面の上に位置する前記左側摺動部材が平面視、幅狭状態にあり、
前記右肩部の長手方向を横断する断面形状が略四角形であり、
前記右肩部の４面は、天井面、前側側面、後側側面、底面であり、
略扁平な右側摺動部材の裏面に取り付けられ、前記右側摺動部材の長手方向を横断す
るように設けられた右側ブリッジの前記右肩部に面する側に二つの突起が有り、この二つ
の突起の間に前記右肩部が位置して前記右側摺動部材の回動を阻止した右の第１の状態は
、前記右肩部の天井面の上に位置する前記右側摺動部材が平面視、幅広状態にあり、   
前記右の第１の状態から前記右側摺動部材を９０°回動させて、前記二つの突起の間
に前記右肩部が位置して前記右側摺動部材の回動を阻止した右の第２の状態は、前記右肩
部の天井面の上に位置する前記右側摺動部材が平面視、幅狭状態にある
ことを特徴とするハンガー。
【請求項２】
左側に延びる左肩部と右側に延びる右肩部とを備えたハンガー本体と、
このハンガー本体の中央に装着されたフックと、
略扁平な左側摺動部材と、
この左側摺動部材の裏面に取り付けられ、前記左側摺動部材の長手方向を横断するよ
うに設けられた左側ブリッジと、
略扁平な右側摺動部材と、
この右側摺動部材の裏面に取り付けられ、前記右側摺動部材の長手方向を横断するよ
うに設けられた右側ブリッジとを備え、
前記左側ブリッジと前記左側摺動部材の裏面との間の狭い隙間に前記左肩部を位置さ
せると共に、前記左側ブリッジの付勢力を利用して前記左側ブリッジにより前記左側摺動
部材を前記左肩部に係止させ、
前記右側ブリッジと前記右側摺動部材の裏面との間の狭い隙間に前記右肩部を位置さ
せると共に、前記右側ブリッジの付勢力を利用して前記右側ブリッジにより前記右側摺動
部材を前記右肩部に係止させるものであり、
前記左肩部の長手方向を横断する断面形状が略四角形であり、
前記左肩部の４面は、天井面、前側側面、後側側面、底面であり、
略扁平な左側摺動部材の裏面に取り付けられ、前記左側摺動部材の長手方向を横断す
るように設けられた左側ブリッジの前記左肩部に面する側に二つの突起が有り、この二つ
の突起の間に前記左肩部が位置して前記左側摺動部材の回動を阻止した左の第１の状態は
、前記左肩部の天井面の上に位置する前記左側摺動部材が平面視、幅広状態にあり、 
前記左の第１の状態から前記左側摺動部材を９０°回動させて、前記二つの突起の間
に前記左肩部が位置して前記左側摺動部材の回動を阻止した左の第２の状態は、前記左肩
部の天井面の上に位置する前記左側摺動部材が平面視、幅狭状態にあり、
前記右肩部の長手方向を横断する断面形状が略四角形であり、
前記右肩部の４面は、天井面、前側側面、後側側面、底面であり、
略扁平な右側摺動部材の裏面に取り付けられ、前記右側摺動部材の長手方向を横断す
るように設けられた右側ブリッジの前記右肩部に面する側に二つの突起が有り、この二つ
の突起の間に前記右肩部が位置して前記右側摺動部材の回動を阻止した右の第１の状態は
、前記右肩部の天井面の上に位置する前記右側摺動部材が平面視、幅広状態にあり、   
前記右の第１の状態から前記右側摺動部材を９０°回動させて、前記二つの突起の間
に前記右肩部が位置して前記右側摺動部材の回動を阻止した右の第２の状態は、前記右肩
部の天井面の上に位置する前記右側摺動部材が平面視、幅狭状態にある
ことを特徴とするハンガー。
【請求項３】
左側に延びる左肩部と右側に延びる右肩部とを備えたハンガー本体と、
このハンガー本体の中央に装着されたフックと、
前記左肩部の長手方向に摺動可能な略扁平な左側摺動部材と、
この左側摺動部材の裏面に取り付けられ、前記左側摺動部材の長手方向を横断するよ
うに設けられた左側ブリッジと、
前記右肩部の長手方向に摺動可能な略扁平な右側摺動部材と、
この右側摺動部材の裏面に取り付けられ、前記右側摺動部材の長手方向を横断するよ
うに設けられた右側ブリッジとを備え、
前記左側摺動部材は前記左肩部の長手方向を横断する方向に回動自在に構成し、
前記右側摺動部材は前記右肩部の長手方向を横断する方向に回動自在に構成し、
前記左側ブリッジと前記左側摺動部材の裏面との間の狭い隙間に前記左肩部を位置さ
せると共に、前記左側ブリッジの付勢力を利用して前記左側ブリッジにより前記左側摺動
部材を前記左肩部に係止させ、
前記右側ブリッジと前記右側摺動部材の裏面との間の狭い隙間に前記右肩部を位置さ
せると共に、前記右側ブリッジの付勢力を利用して前記右側ブリッジにより前記右側摺動
部材を前記右肩部に係止させるものであり、
前記左側ブリッジの前記左肩部に面する側に二つの突起が有り、この二つの突起の間に前記左肩部が位置して前記左側摺動部材の回動を阻止した左の第１の状態は、前記左肩部の天井面の上に位置する前記左側摺動部材が平面視、幅広状態にあり、 
前記左の第１の状態から前記左側摺動部材を９０°回動させて、前記二つの突起の間
に前記左肩部が位置して前記左側摺動部材の回動を阻止した左の第２の状態は、前記左肩
部の天井面の上に位置する前記左側摺動部材が平面視、幅狭状態にあり、
前記右側ブリッジの前記右肩部に面する側に二つの突起が有り、この二つの突起の間に前記右肩部が位置して前記右側摺動部材の回動を阻止した右の第１の状態は、前記右肩部の天井面の上に位置する前記右側摺動部材が平面視、幅広状態にあり、 
前記右の第１の状態から前記右側摺動部材を９０°回動させて、前記二つの突起の間
に前記右肩部が位置して前記右側摺動部材の回動を阻止した右の第２の状態は、前記右肩
部の天井面の上に位置する前記右側摺動部材が平面視、幅狭状態にある
ことを特徴とするハンガー。
【請求項４】
左側に延びる左肩部と右側に延びる右肩部とを備えたハンガー本体と、
このハンガー本体の中央に装着されたフックと、
前記左肩部の長手方向に摺動可能な略扁平な左側摺動部材と、
この左側摺動部材の裏面に取り付けられ、前記左側摺動部材の長手方向を横断するよ
うに設けられた左側ブリッジと、
前記右肩部の長手方向に摺動可能な略扁平な右側摺動部材と、
この右側摺動部材の裏面に取り付けられ、前記右側摺動部材の長手方向を横断するよ
うに設けられた右側ブリッジとを備え、
前記左側摺動部材は前記左肩部の長手方向を横断する方向に回動自在であり、
前記右側摺動部材は前記右肩部の長手方向を横断する方向に回動自在であり、
前記左側ブリッジと前記左側摺動部材の裏面との間の狭い隙間に前記左肩部を位置さ
せると共に、前記左側ブリッジの付勢力を利用して前記左側ブリッジにより前記左側摺動
部材を前記左肩部に係止させ、
前記右側ブリッジと前記右側摺動部材の裏面との間の狭い隙間に前記右肩部を位置さ
せると共に、前記右側ブリッジの付勢力を利用して前記右側ブリッジにより前記右側摺動
部材を前記右肩部に係止させるものであり、
前記左側ブリッジの前記左肩部に面する側に二つの突起が有り、この二つの突起の間に前記左肩部が位置して前記左側摺動部材の回動を阻止した左の第１の状態は、前記左肩部の天井面の上に位置する前記左側摺動部材が平面視、幅広状態にあり、 
前記左の第１の状態から前記左側摺動部材を９０°回動させて、前記二つの突起の間
に前記左肩部が位置して前記左側摺動部材の回動を阻止した左の第２の状態は、前記左肩
部の天井面の上に位置する前記左側摺動部材が平面視、幅狭状態にあり、
前記右側ブリッジの前記右肩部に面する側に二つの突起が有り、この二つの突起の間に前記右肩部が位置して前記右側摺動部材の回動を阻止した右の第１の状態は、前記右肩部の天井面の上に位置する前記右側摺動部材が平面視、幅広状態にあり、 
前記右の第１の状態から前記右側摺動部材を９０°回動させて、前記二つの突起の間
に前記右肩部が位置して前記右側摺動部材の回動を阻止した右の第２の状態は、前記右肩
部の天井面の上に位置する前記右側摺動部材が平面視、幅狭状態にあり、
衣類を吊持しないハンガーの不使用時、前記左肩部の天井面の上に位置する前記左側摺動部材を平面視、幅狭状態になるように回動させ、前記右肩部の天井面の上に位置する前記右側摺動部材を平面視、幅狭状態になるように回動させる
ことを特徴とするハンガーの摺動部材の収納方法。
【発明の詳細な説明】
【技術分野】
【０００１】
本発明は、ハンガー及びハンガーの摺動部材の収納方法に係り、特に、左側摺動部材及び右側摺動部材の不使用時、左側摺動部材及び右側摺動部材を回動して、コンパクトにすることができるハンガー及びハンガーの摺動部材の収納方法に関する。
【背景技術】
【０００２】
従来、左右の肩部にそれぞれスライドする摺動部材を設け、該摺動部材を伸ばして、衣類の袖の下を垂らさずに伸ばして掛けられるようにしたハンガーにおいて、衣類の肩形状を崩さずに、また、風通しを良くして乾燥を早める目的で、前記摺動部材がハンガー本体のフレームより幅広に作られたものがある（例えば、特許文献１参照）。
【先行技術文献】
【特許文献】
【０００３】
【特許文献１】特許第４５３７６７５号
【発明の概要】
【発明が解決しようとする課題】
【０００４】
しかしながら、上述したハンガーにあっては、肩部の長手方向をスライドできるのみで、摺動部材を使用しないとき、ハンガーを運搬する際、摺動部材を回動できず、ハンガーをコンパクトにできないという問題点があった。
【０００５】
本発明は、前記問題点を除去するようにしたハンガー及びハンガーの摺動部材の収納方法を提供することを目的とする。
【課題を解決するための手段】
【０００６】
請求項１記載のハンガーは、衣類を吊持するためのハンガーであって、左側に延びる左肩部と右側に延びる右肩部とを備えたハンガー本体と、このハンガー本体の中央に装着されたフックと、前記左肩部の長手方向に摺動可能な左側摺動部材と、前記右肩部の長手方向に摺動可能な右側摺動部材と備え、前記左側摺動部材を前記左肩部の長手方向を横断する方向に回動自在に構成し、前記右側摺動部材を前記右肩部の長手方向を横断する方向に回動自在に構成し、前記左肩部の長手方向を横断する断面形状が略四角形であり、前記左肩部の４面は、天井面、前側側面、後側側面、底面であり、略扁平な左側摺動部材の裏面に取り付けられ、前記左側摺動部材の長手方向を横断するように設けられた左側ブリッジの前記左肩部に面する側に二つの突起が有り、この二つの突起の間に前記左肩部が位置して前記左側摺動部材の回動を阻止した左の第１の状態は、前記左肩部の天井面の上に位置する前記左側摺動部材が平面視、幅広状態にあり、前記左の第１の状態から前記左側摺動部材を９０°回動させて、前記二つの突起の間に前記左肩部が位置して前記左側摺動部材の回動を阻止した左の第２の状態は、前記左肩部の天井面の上に位置する前記左側摺動部材が平面視、幅狭状態にあり、前記右肩部の長手方向を横断する断面形状が略四角形であり、前記右肩部の４面は、天井面、前側側面、後側側面、底面であり、略扁平な右側摺動部材の裏面に取り付けられ、前記右側摺動部材の長手方向を横断するように設けられた右側ブリッジの前記右肩部に面する側に二つの突起が有り、この二つの突起の間に前記右肩部が位置して前記右側摺動部材の回動を阻止した右の第１の状態は前記右肩部の天井面の上に位置する前記右側摺動部材が平面視、幅広状態にあり、前記右の第１の状態から前記右側摺動部材を９０°回動させて、前記二つの突起の間に前記右肩部が位置して前記右側摺動部材の回動を阻止した右の第２の状態は、前記右肩部の天井面の上に位置する前記右側摺動部材が平面視、幅狭状態にある。
【０００７】
また、請求項２記載のハンガーは、左側に延びる左肩部と右側に延びる右肩部とを備えたハンガー本体と、このハンガー本体の中央に装着されたフックと、略扁平な左側摺動部材と、この左側摺動部材の裏面に取り付けられ、前記左側摺動部材の長手方向を横断するように設けられた左側ブリッジと、略扁平な右側摺動部材と、この右側摺動部材の裏面に取り付けられ、前記右側摺動部材の長手方向を横断するように設けられた右側ブリッジとを備え、前記左側ブリッジと前記左側摺動部材の裏面との間の狭い隙間に前記左肩部を位置させると共に、前記左側ブリッジの付勢力を利用して前記左側ブリッジにより前記左側摺動部材を前記左肩部に係止させ、前記右側ブリッジと前記右側摺動部材の裏面との間の狭い隙間に前記右肩部を位置させると共に、前記右側ブリッジの付勢力を利用して前記右側ブリッジにより前記右側摺動部材を前記右肩部に係止させるものであり、前記左肩部の長手方向を横断する断面形状が略四角形であり、前記左肩部の４面は、天井面、前側側面、後側側面、底面であり、略扁平な左側摺動部材の裏面に取り付けられ、前記左側摺動部材の長手方向を横断するように設けられた左側ブリッジの前記左肩部に面する側に二つの突起が有り、この二つの突起の間に前記左肩部が位置して前記左側摺動部材の回動を阻止した左の第１の状態は、前記左肩部の天井面の上に位置する前記左側摺動部材が平面視、幅広状態にあり、前記左の第１の状態から前記左側摺動部材を９０°回動させて、前記二つの突起の間に前記左肩部が位置して前記左側摺動部材の回動を阻止した左の第２の状態は、前記左肩部の天井面の上に位置する前記左側摺動部材が平面視、幅狭状態にあり、
前記右肩部の長手方向を横断する断面形状が略四角形であり、前記右肩部の４面は、天井面、前側側面、後側側面、底面であり、略扁平な右側摺動部材の裏面に取り付けられ、前記右側摺動部材の長手方向を横断するように設けられた右側ブリッジの前記右肩部に面する側に二つの突起が有り、この二つの突起の間に前記右肩部が位置して前記右側摺動部材の回動を阻止した右の第１の状態は前記右肩部の天井面の上に位置する前記右側摺動部材が平面視、幅広状態にあり、前記右の第１の状態から前記右側摺動部材を９０°回動させて、前記二つの突起の間に前記右肩部が位置して前記右側摺動部材の回動を阻止した右の第２の状態は、前記右肩部の天井面の上に位置する前記右側摺動部材が平面視、幅狭状態にある。
【０００９】
また、請求項３記載のハンガーは、左側に延びる左肩部と右側に延びる右肩部とを備えたハンガー本体と、このハンガー本体の中央に装着されたフックと、前記左肩部の長手方向に摺動可能な略扁平な左側摺動部材と、この左側摺動部材の裏面に取り付けられ、前記左側摺動部材の長手方向を横断するように設けられた左側ブリッジと、前記右肩部の長手方向に摺動可能な略扁平な右側摺動部材と、この右側摺動部材の裏面に取り付けられ、前記右側摺動部材の長手方向を横断するように設けられた右側ブリッジとを備え、前記左側摺動部材は前記左肩部の長手方向を横断する方向に回動自在に構成し、前記右側摺動部材は前記右肩部の長手方向を横断する方向に回動自在に構成し、前記左側ブリッジと前記左側摺動部材の裏面との間の狭い隙間に前記左肩部を位置させると共に、前記左側ブリッジの付勢力を利用して前記左側ブリッジにより前記左側摺動部材を前記左肩部に係止させ、前記右側ブリッジと前記右側摺動部材の裏面との間の狭い隙間に前記右肩部を位置させると共に、前記右側ブリッジの付勢力を利用して前記右側ブリッジにより前記右側摺動部材を前記右肩部に係止させるものであり、前記左側ブリッジの前記左肩部に面する側に二つの突起が有り、この二つの突起の間に前記左肩部が位置して前記左側摺動部材の回動を阻止した左の第１の状態は、前記左肩部の天井面の上に位置する前記左側摺動部材が平面視、幅広状態にあり、前記左の第１の状態から前記左側摺動部材を９０°回動させて、前記二つの突起の間に前記左肩部が位置して前記左側摺動部材の回動を阻止した左の第２の状態は、前記左肩部の天井面の上に位置する前記左側摺動部材が平面視、幅狭状態にあり、前記右側ブリッジの前記右肩部に面する側に二つの突起が有り、この二つの突起の間に前記右肩部が位置して前記右側摺動部材の回動を阻止した右の第１の状態は、前記右肩部の天井面の上に位置する前記右側摺動部材が平面視、幅広状態にあり、前記右の第１の状態から前記右側摺動部材を９０°回動させて、前記二つの突起の間に前記右肩部が位置して前記右側摺動部材の回動を阻止した右の第２の状態は、前記右肩部の天井面の上に位置する前記右側摺動部材が平面視、幅狭状態にある。
【００１０】
また、請求項４記載のハンガーの摺動部材の収納方法は、左側に延びる左肩部と右側に延びる右肩部とを備えたハンガー本体と、このハンガー本体の中央に装着されたフックと、前記左肩部の長手方向に摺動可能な略扁平な左側摺動部材と、この左側摺動部材の裏面に取り付けられ、前記左側摺動部材の長手方向を横断するように設けられた左側ブリッジと、前記右肩部の長手方向に摺動可能な略扁平な右側摺動部材と、この右側摺動部材の裏面に取り付けられ、前記右側摺動部材の長手方向を横断するように設けられた右側ブリッジとを備え、前記左側摺動部材は前記左肩部の長手方向を横断する方向に回動自在であり、前記右側摺動部材は前記右肩部の長手方向を横断する方向に回動自在であり、前記左側ブリッジと前記左側摺動部材の裏面との間の狭い隙間に前記左肩部を位置させると共に、前記左側ブリッジの付勢力を利用して前記左側ブリッジにより前記左側摺動部材を前記左肩部に係止させ、前記右側ブリッジと前記右側摺動部材の裏面との間の狭い隙間に前記右肩部を位置させると共に、前記右側ブリッジの付勢力を利用して前記右側ブリッジにより前記右側摺動部材を前記右肩部に係止させるものであり、前記左側ブリッジの前記左肩部に面する側に二つの突起が有り、この二つの突起の間に前記左肩部が位置して前記左側摺動部材の回動を阻止した左の第１の状態は、前記左肩部の天井面の上に位置する前記左側摺動部材が平面視、幅広状態にあり、前記左の第１の状態から前記左側摺動部材を９０°回動させて、前記二つの突起の間に前記左肩部が位置して前記左側摺動部材の回動を阻止した左の第２の状態は、前記左肩部の天井面の上に位置する前記左側摺動部材が平面視、幅狭状態にあり、前記右側ブリッジの前記右肩部に面する側に二つの突起が有り、この二つの突起の間に前記右肩部が位置して前記右側摺動部材の回動を阻止した右の第１の状態は、前記右肩部の天井面の上に位置する前記右側摺動部材が平面視、幅広状態にあり、前記右の第１の状態から前記右側摺動部材を９０°回動させて、前記二つの突起の間
に前記右肩部が位置して前記右側摺動部材の回動を阻止した右の第２の状態は、前記右肩
部の天井面の上に位置する前記右側摺動部材が平面視、幅狭状態にあり、衣類を吊持しないハンガーの不使用時、前記左肩部の天井面の上に位置する前記左側摺動部材を平面視、幅狭状態になるように回動させ、前記右肩部の天井面の上に位置する前記右側摺動部材を平面視、幅狭状態になるように回動させるものである。
【発明の効果】
【００１１】
請求項１記載のハンガーによれば、衣類を吊持しないハンガーの不使用時、左側摺動部材及び右側摺動部材をそれぞれ回動自在に構成したため、左側摺動部材及び右側摺動部材を使用しない不使用時、衣類を吊持しないハンガーの不使用時、ハンガーを運搬する等にあっては、ハンガーをコンパクトにでき、例えば、不使用のハンガーをパイプに隣接させて吊り下げても、左側摺動部材及び右側摺動部材が占有する隣接方向のスペースを小さくなるように、左側摺動部材及び右側摺動部材を回動させて、使用領域を多く取ることができる。
また、左肩部の長手方向を横断する断面形状及び右肩部の長手方向を横断する断面形状が、それぞれ略四角形であるため、回動を阻止した状態を安定して保つことができる。
【００１２】
また、請求項２記載のハンガーによれば、左側摺動部材及び右側摺動部材を使用しない不使用時、衣類を吊持しないハンガーの不使用時、ハンガーを運搬する等にあっては、左側摺動部材を左側ブリッジの付勢力に抗して、右側摺動部材を右側ブリッジの付勢力に抗して、それぞれ回動させて係止させることができるため、ハンガーをコンパクトにでき、例えば、不使用のハンガーをパイプに隣接させて吊り下げても、左側摺動部材及び右側摺動部材が占有する隣接方向のスペースを小さくなるように、左側摺動部材及び右側摺動部材を回動させて、使用領域を多く取ることができる。
また、左肩部の長手方向を横断する断面形状及び右肩部の長手方向を横断する断面形状が、それぞれ略四角形であるため、回動を阻止した状態を安定して保つことができる。
【００１５】
また、請求項４記載のハンガーの摺動部材の収納方法によれば、衣類を吊持しないハンガーの不使用時、左肩部の天井面の上に位置する左側摺動部材を平面視、幅狭状態になるように回動させ、右肩部の天井面の上に位置する右側摺動部材を平面視、幅狭状態になるように回動させるため、ハンガーをコンパクトにでき、例えば、不使用のハンガーをパイプに隣接させて吊り下げても、左側摺動部材及び右側摺動部材が占有する隣接方向のスペースを小さくなるように、左側摺動部材及び右側摺動部材を回動させて、使用領域を多く取ることができる。
【図面の簡単な説明】
【００１６】
【図１】図１は、本発明の一実施例のハンガーの概略的正面図である。
【図２】図２は、図１の概略的平面図である。
【図３】図３は、図２の３−３線による概略的断面図である。
【図４】図４は、図１の左側摺動部材及び右側摺動部材を伸ばした状態の概略的断面図である。
【図５】図５は、図３の一部を拡大して示す概略的一部拡大断面図である。
【図６】図６は、図４の一部を拡大して示す概略的一部拡大断面図である。
【図７】図７は、図１の右側摺動部材の概略的平面図である。
【図８】図８は、図７の概略的正面図である。
【図９】図９は、図７の概略的底面図である。
【図１０】図１０は、図７の１０−１０線による概略的断面図である。
【図１１】図１１は、図８の１１−１１線による概略的断面図である。
【図１２】図１２は、図８の１２−１２線による概略的断面図である。
【図１３】図１３（ａ）は、図３の１３−１３線による概略的断面図であり、図１３（ｂ）は、図１３（ａ）の右側摺動部材又は左側摺動部材を時計回りに回動させた状態の概略的断面図である。
【図１４】図１４（ａ）は、図３の１４−１４線による概略的断面図であり、図１４（ｂ）は、図１４（ａ）の右側摺動部材又は左側摺動部材を時計回りに回動させた状態の概略的断面図である。
【図１５】図１５は、図１のハンガーをパイプに取り付けた使用状態を示す概略的図である。
【図１６】図１６は、図１の右側摺動部材をハンガー本体に取り付ける状態を示す概略的図である。
【図１７】図１７は、図１６の１７−１７線による概略的断面図である。
【図１８】図１８は、図１のハンガーをパイプに取り付ける状態を示す概略的図である。
【図１９】図１９は、図１８の１９−１９線による概略的断面図である。
【発明を実施するための形態】
【００１７】
本発明の一実施例のハンガー及びハンガーの摺動部材の収納方法を図面を参照して説明する。
図１乃至図４に示すＨは衣類を吊持するためのハンガーで、ハンガーＨは、左側に延びる左肩部１ａと右側に延びる右肩部１ｂとを備えたハンガー本体１と、このハンガー本体１の中央に装着されたフック１ｃと、左肩部１ａの長手方向に摺動可能な左側摺動部材２と、右肩部１ｂの長手方向に摺動可能な右側摺動部材３と備えている。
なお、フック１ｃは、フック１ｃの下方に位置する把持部１ｄ、１ｄの把持操作（図１８参照）により、一対の挟持部１ｄ、１ｄが相対的に開閉されてパイプＰを挟持するようになっている。また、１ｅは水平桟で、１ｆ、１ｆは、水平桟１ｅの端部側に設けられた抑え部材（タオル又はスラックス等抑え部材）である。
【００１８】
左側摺動部材２及び右側摺動部材３は、図１、図２、図７〜図１４に示すように、共に、縦横寸法（縦寸法Ｔ１、横寸法Ｔ２）に比べて厚み寸法（Ｔ３）が小さい略扁平となっている（図２、図７及び図８参照）。
また、左側摺動部材２は、図４に示すように、左肩部１ａのフック１ｃより遠い側の端部Ｔより突出可能で、左側摺動部材２は、図４に示すように、左肩部１ａのフック１ｃより遠い側の端部Ｔより突出している。
そして、左側摺動部材２は、左肩部１ａに回動自在に構成されている。
なお、左側摺動部材２を端部Ｔより突出させる際、左側摺動部材２の裏面側であって、左側摺動部材２の長手方向に沿って設けたリブ２１に左肩部１ａの天井面に設けた突起１１が当接しても、左側摺動部材２が摺動し易いように、リブ２１は突出方向に向かって下がり勾配の傾斜となっている。
【００１９】
また、図１に示す４は左側ブリッジで、左側ブリッジ４は、左側摺動部材２の裏面に取り付けられ、左側摺動部材２の長手方向を横断するように設けられ、本実施例では、複数、例えば、２個設けられている。左側摺動部材２は、１個でも良いが、望ましくは、複数個である。
左側ブリッジ４と左側摺動部材２は、例えば、合成樹脂で一体的に形成されている。
そして、左側ブリッジ４と左側摺動部材２の裏面との間の狭い隙間に左肩部１ａを位置させると共に、左側ブリッジ４の弾性変形によって生じる付勢力を利用して左側ブリッジ４により左側摺動部材２を左肩部１ａに係止させている[図１３（ａ）及び図１４（ａ）参照]。
なお、左肩部１ａの長手方向を横断する断面形状は円でも良いが、略四角形が望ましく、略四角形の場合、左肩部１ａの４面は、天井面１ａ１、前側側面１ａ２、後側側面１ａ３、底面１ａ４となっている。
また、図１３（ａ）及び図１４（ａ）に示すように、左側ブリッジ４の左肩部１ａに面する側に二つの突起Ａ、Ｂが有り、この二つの突起Ａ、Ｂの間に左肩部１ａが位置して左側摺動部材２の回動を阻止した左の第１の状態[図１３（ａ）及び図１４（ａ）参照]は、左肩部１ａの天井面１ａ１の上に位置する左側摺動部材２が平面視、幅広状態にある[図１３（ａ）及び図１４（ａ）参照]。   
この左の第１の状態[図１４（ａ）参照]から左側摺動部材２を９０°回動させて、二つの突起Ａ、Ｂの間に左肩部１ａが位置して左側摺動部材２の回動を阻止した左の第２の状態は、左肩部１ａの天井面１ａ１の上に位置する左側摺動部材２が平面視、幅狭状態にある[図１４（ａ）参照]。
【００２０】
また、右側摺動部材３は、図１６に示すように、右肩部１ｂと挟持部１ｄとを接続する前に説明を後述するが、右側ブリッジ５と右側摺動部材３の裏面との間の狭い隙間に右肩部１ｂが位置するようにして取り付ける（左側摺動部材２の左肩部１ａへの取り付けも左肩部１ａと挟持部１ｄとを接続する前に同様に行う。）。右側摺動部材３も左側摺動部材２と同様に、右肩部１ｂのフック１ｃより遠い側の端部Ｔ’より突出可能で、右側摺動部材３は、図４に示すように、右肩部１ｂのフック１ｃより遠い側の端部Ｔ’より突出している。
そして、右側摺動部材３は右肩部１ｂに回動自在に構成されている。
なお、右側摺動部材３を端部Ｔ’より突出させる際、右側摺動部材３の裏面側であって、右側摺動部材３の長手方向に沿って設けたリブ３１に右肩部１ｂの天井面に設けた突起１２が当接しても、右側摺動部材３が摺動し易いように、リブ３１は突出方向に向かって下がり勾配の傾斜となっている。
また、図１〜図１４に示す５は右側ブリッジで、右側ブリッジ５は、左側ブリッジ４と同様、右側摺動部材３の裏面に取り付けられ、右側摺動部材３の長手方向を横断するように設けられ、本実施例では、複数、例えば、２個設けられている。右側摺動部材３は、１個でも良いが、望ましくは、複数個である。
右側ブリッジ５と右側摺動部材３は、例えば、合成樹脂で一体的に形成されている。
そして、右側ブリッジ５と右側摺動部材３の裏面との間の狭い隙間に右肩部１ｂを位置させると共に、右側ブリッジ５の弾性変形によって生じる付勢力を利用して右側ブリッジ５により右側摺動部材３を右肩部１ｂに係止させている[図１３（ａ）及び図１４（ａ）参照]。
なお、右肩部１ｂの長手方向を横断する断面形状はは円でも良いが、略四角形が望ましく、略四角形の場合、右肩部１ｂの４面は、天井面１ｂ１、前側側面１ｂ２、後側側面１ｂ３、底面１ｂ４となっている。
また、図１１及び図１２に示すように、右側ブリッジ５の右肩部１ｂに面する側に二つの突起ａ、ｂが有り、この二つの突起ａ、ｂの間に右肩部１ｂが位置して右側摺動部材３の回動を阻止した右の第１の状態[図１３（ａ）及び図１４（ａ）参照]は、右肩部１ｂの天井面１ｂ１の上に位置する右側摺動部材３が平面視、幅広状態にある[図１３（ａ）及び図１４（ａ）参照]。   
この右の第１の状態[図１４（ａ）参照]から右側摺動部材３を９０°回動させて、二つの突起ａ、ｂの間に右肩部１ｂが位置して右側摺動部材３の回動を阻止した右の第２の状態は、右肩部１ｂの天井面１ｂ１の上に位置する右側摺動部材３が平面視、幅狭状態にある[図１４（ａ）参照]。
つまり、左側摺動部材２を左肩部１ａに、右側摺動部材３を右肩部１ｂに、それぞれ回動自在に構成し、左側摺動部材２及び右側摺動部材３を使用しない不使用時、衣類を吊持しないハンガーの不使用時等にあっては、左肩部１ａの天井面１ａ１の上に位置する左側摺動部材２を平面視、幅狭状態になるように回動させ、右肩部１ｂの天井面１ｂ１の上に位置する右側摺動部材３を平面視、幅狭状態になるように回動させてハンガーＨの摺動部材２、３を収納することができる。
【００２１】
従って、上述したハンガー及びハンガーの摺動部材の収納方法によれば、例えば、左側摺動部材２及び右側摺動部材３を使用するときには、図４に示すようにして使用し、左側摺動部材２及び右側摺動部材３を使用しない不使用時、衣類を吊持しないハンガーＨの不使用時、ハンガーを運搬する等にあっては、延ばした左側摺動部材２及び右側摺動部材３を図３に示すように縮め、左側摺動部材２を左側ブリッジ４の付勢力に抗して、右側摺動部材３を右側ブリッジ５の付勢力に抗して、それぞれ手で回動させて係止させることができるため、ハンガーＨをコンパクトにでき、例えば、図１５に示すように、不使用のハンガーＨをパイプＰに隣接させて吊り下げても、左側摺動部材２及び右側摺動部材３が占有する隣接方向のスペースを小さくなるように、左側摺動部材２及び右側摺動部材３を回動させて、収納使用領域を多く取ることができる。
【符号の説明】
【００２２】
Ｈ      ハンガー
１      ハンガー本体
１ａ    左肩部
１ｂ    右肩部
１ｃ    フック
２      左側摺動部材
３      右側摺動部材
【図１】
0005636233.tif 000002
【図２】
0005636233.tif 000003
【図３】
0005636233.tif 000004
【図４】
0005636233.tif 000005
【図５】
0005636233.tif 000006
【図６】
0005636233.tif 000007
【図７】
0005636233.tif 000008
【図８】
0005636233.tif 000009
【図９】
0005636233.tif 000010
【図１０】
0005636233.tif 000011
【図１１】
0005636233.tif 000012
【図１２】
0005636233.tif 000013
【図１３】
0005636233.tif 000014
【図１４】
0005636233.tif 000015
【図１５】
0005636233.tif 000016
【図１６】
0005636233.tif 000017
【図１７】
0005636233.tif 000018
【図１８】
0005636233.tif 000019
【図１９】
0005636233.tif 000020